(57)【要約】      （修正有）【課題】プレイヤーが想定した通りの方向にボールが進み、プレイヤーが打球音を含む打球の感覚的な手ごたえを感じることが出来るゴルフパターを提供する。【解決手段】ゴルフパターは、パター本体フェイス面にパターフェイス構成体が接着される。パターフェイス構成体は、表裏に通じる多数の小開口を備えたボール表皮より硬い材質の前面弾性体と、その裏面に密着しつつ前面弾性体の小開口内空間を充満し、小開口からの露出端面を前面弾性体表面と面一とした形状を備えた後面体とから成る。【選択図】図１
0003179604.tif 000002
【実用新案登録請求の範囲】
【請求項１】
パターフェイス構成体を、パター本体フェイス面に接着したゴルフパターであって、
該パターフェイス構成体は、ボール表皮より硬い材質の前面弾性体と、前面弾性体より柔らかい材質の後面体とから成り、
該前面弾性体は、表裏に通じる多数の小開口を備え、
該後面体は、前面弾性体裏面に密着しつつ前面弾性体の小開口内空間を充満し、小開口からの露出端面を前面弾性体表面と面一とした形状を備え、
打球時に、ボールが、前面弾性体を凹面状に変形させて柔らかい後面体突出端面に接触すると、
柔らかい後面体が、第１に、ボールの衝撃を吸収してボールとフェイスとの接触時間を延引し、
第２に、ボールと前面弾性体との接触形態を多点接触に変更して、ボール・ディンプルのどの箇所が最初に前面弾性体に当接しても、前面弾性体をして打球をプレイヤーの想定した方向に反発せしめ、
第３に、打球時の高周波帯域衝撃音を吸収することを特徴とするゴルフパター。
【請求項２】
前記前面弾性体は、円形、楕円形、方形、長方形、もしくはその他の形状の小開口を備え、
前記後面体は、前記前面弾性体の打球時の凹面形成を許容するに必要な厚みを備え
たことを特徴とする請求項１記載のゴルフパター。
【考案の詳細な説明】
【技術分野】
【０００１】
本考案は、ゴルフパターのヘッドに対して、打球面（フェイス）の中央部に挿入可能なインサート型のフェイスまたは、フェイス面全体を覆うように接着することの出来るパターフェイスに関するものである。
【背景技術】
【０００２】
ゴルフプレイヤーは、グリーン上でのパッティングにおいて、カップへのコースと距離を見定めて打球を行うが、ボールは必ずしも想定通りには運動しない。ボールが進むコースと距離は、グリーンの形状や性状にも大きく依存することは当然であるが、そのほか、パター打球面（フェイス）とボールの接触具合にも大きく左右されることは周知の事実である。後者の要素を改善するために、従来から、フェイスの素材や形状についてのさまざまな工夫がなされてきた。
それらを大別すると、金属製のパターフェイスと合成樹脂などを用いた非金属製のパターフェイスの２種類があった。
【０００３】
金属製のパターフェイスはボールよりも十分に硬いため、反発係数が高く、ボールの初速度を大きくする事が可能であるといったメリットがある一方で、表面が硬く反発係数が高いのでボールとフェイス面の接触時間が短い為に、ボールのコントロールが難しいというデメリットがあった。
【０００４】
また非金属製のパターフェイスとしては、特許文献１に従来技術の１例が開示されている。この技術は、指定した物性を有する樹脂材料からなるフェイスプレートを、ヘッドのフェイス面に装着したパターである。しかしこの技術は、実際の使用上の問題として、打球距離の制御に必要な打球音が得られないと言う問題点のあることが判明している。
【０００５】
打球音の問題を解決するために、ボール表皮と同等以上の硬さの硬度ウレタン樹脂で打球面を形成し、内側の層に熱可塑性エラストマーを構成したパター（非特許文献１）や、硬度ウレタン樹脂の打球面中央部に任意の面積の金属の面状体を装着して金属面の打球面を形成し、内側の層に熱可塑性エラストマーを構成したパターが発売されている（非特許文献２）。しかしこれらの技術においても、ボール表面のディンプル端部の接触角度ずれによる反発方向のずれは、解決出来なかった。
【０００６】
考案者の実験によれば、従来のパターフェイスは、金属フェイスも剛性の高い樹脂パターフェイスも、たとえボールをパターフェイスのスイートスポットで打撃しても、打球方向が想定した方向から大きくずれることのあることが分かった。その原因は、パターフェイスがボールと接触する際に、ボール表面に形成されたディンプルのどの端部が最初にパターフェイスと接触するかにより、打球方向の角度ずれが生じることによるものである。
パッティングの問題を、パターとボールの関係性におけるパターの形状あるいは性状に関する技術に限定すれば、それは以下の課題を同時に満たすものでなければならない。
課題１．ボールをパターフェイスのスイートスポットで打撃すれば、プレイヤーが想定した通りの方向にボールが進むこと。
課題２．プレイヤーが打球音を含む打球の感覚的な手ごたえを感じることが出来ること。
【０００７】
考案者はすでに、上記課題を解決する技術を提案している（特許文献１および２）。
まず課題１に関しては、特許文献２において、打球面に沿う方向に、軟及び硬の樹脂を交互に配列することにより、ディンプルが軟及び硬の樹脂に多点で接触し、ディンプルのどの端部が最初にフェイスと接触しても、ボールを反発する方向が想定の方向に修正される方法を提案している。
しかしこの方法は、人間が実際に打球した場合、打球位置が大きな不規則なずれを起すため、硬の樹脂に最初に接触することがあり、その場合には、反発方向にずれが生ずることが判明した。つまり、打球面に沿う方向に、軟及び硬の樹脂を交互に配列する特許文献２の方法では、打球位置が一定ではない人間が打球した場合、統計学的にボールディンプルの端部が軟らかい樹脂と最初に接触する確率の高い配列を構成することは難しいことが判明したのである。
また、特許文献１においては、パターフェイスにボール表皮よりも軟らかい材質の面状体で配置することにより、ボール表面のディンプル端部の接触角度ずれを防ぐ方法を提案している。
しかしこの方法は、打球した時の振動を該前方面状体が減衰させてしまうために、プレイヤーが打球の感覚的な手ごたえを感じることが出来ず、上記の課題２を解決することが出来なかった。
【先行技術文献】
【特許文献】
【０００８】
【特許文献１】特開２００１−２２４７１６号公報
【特許文献２】実用新案登録第３１５６７１９号公報
【非特許文献】
【０００９】
【非特許文献１】キャロウェイゴルフ株式会社  ＯＤＹＳＳＥＹホームページ所載
【非特許文献２】キャロウェイゴルフ株式会社  ＯＤＹＳＳＥＹホームページ所載
【考案の概要】
【考案が解決しようとする課題】
【００１０】
解決しようとする課題は、プレイヤーが想定した通りの方向にボールが進むためのパターフェイス技術と、プレイヤーが打球音を含む打球の感覚的な手ごたえを感じることが出来る同技術とが両立しない点である。
【課題を解決するための手段】
【００１１】
本考案のパターフェイスは、密着する前後２枚のプレートから成り、表裏に通じる多数の小開口を設けた硬い材質の前方プレートの裏面側に、柔らかい材質の後方プレートを、前方プレートの裏面を覆いかつ前方プレートの小開口内空間を充満する形状に形成し、後方プレートの小開口から露出する端面を前方プレートの表面と面一となしたことを最も主要な特徴とする。
【考案の効果】
【００１２】
本考案のパターフェイスは、フェイス面が硬い前方プレートに設けた小開口部を柔らかい後方プレートの材質で充満した構成なので、フェイスに最初に当接する箇所が、ディンプルのどの部分であっても、打球がプレイヤーの想定した方向に真っ直ぐ進み、かつプレイヤーが十分な打感が得られるという利点がある。
【図面の簡単な説明】
【００１３】
【図１】図１はゴルフパターのヘッド部分の実施の形態を示す説明図である。
【図２】図２は実施の形態のパターフェイスの２次元の構造説明図である。
【図３】図３は実施の形態のパターフェイスの斜視による３次元の構造説明図である。
【図４】図４はボール表面と打球面の接触時の様子を説明する拡大説明図である。
【考案を実施するための形態】
【００１４】
本考案の一実施形態について図１〜図４に基づいて説明すれば、以下の通りである。図１に示すように、本実施形態のゴルフパターの主要部であるヘッド部分は、パターヘッド（もしくはヘッド）１にパターフェイス２を備える構成である。すなわち、本発明の一実施形態であるゴルフパターは、パターフェイス２が、パターヘッド１に挿入されているものである。
【００１５】
しかし、ゴルフパターのパターヘッド１に対するパターフェイス２の装着方法は、特に限定されるものではなく、例えば、接着、溶着及び両面粘着性テープによる粘着等による装着方法が例示できる。なお、パターフェイス２には任意の着色を施しても良い。図１（ａ）・（ｂ）及び（ｄ）Ａ−Ａ断面図に示すように、パターヘッド１の打球面側には、パターフェイス２を挿入するための挿入口Ｈが設けられている。図１（ａ）・（ｂ）に示す挿入口Ｈは、図１（ｃ）パターフェイス２の形状に合わせて形成されている。
ただしこの挿入口Ｈの配設は、本発明において基本的な要素ではなく、挿入口Ｈをまったく配設することなく、平面状のパターヘッド１にパターフェイス２を装着してもよい（図示せず）。
【００１６】
次に、図２（ａ）〜（ｄ）及び図３（ａ）〜（ｃ）に基づき、本実施形態の主要部であるパターフェイス２の構造の詳細について説明する。
【００１７】
図２（ａ）に示すフェイス２は、通常は面一な平面の面状弾性体で表面硬度と反発弾性特性が弾性ゴムの特性以上の樹脂また金属あるいは非鉄金属の材質で打球面２０を形成している。図２（ｂ）のパターフェイス２の裏面にはボール表皮よりも軟らかい材質の樹脂２１が面一に接合されている。さらに図３（ａ）に示した２０と２１の接合斜視図と、同図（ｂ）に示した打球面２０の斜視図と、同図（ｃ）に示した裏面２１の斜視図の通り、打球面小開口部内空間は、隙間なく裏面２１の突出部分によって充満された形状である。
【００１８】
また、図２（ｃ）Ａ−Ａ断面図及び（ｄ）Ｂ−Ｂ断面図に示したとおり、打球面２０には、裏面２１の軟らかい樹脂が露出し、打球面２０の小開口部分を埋め尽くし、露出端面を打球面２０と面一にしている。小開口を設定したために網状に残された打球面２０は、打球時にボールディンプルの端部の突起が接触すると撓んで凹む性質を備え、裏面の軟らかい樹脂２１は、打球面２０の撓みを妨げない性質を備えている。
【００１９】
次に図４（ａ）〜（ｄ）に基づき、パターフェイス２の物理的動作及びその構成材料などについて説明する。
図４において、（ａ）は、本考案のフェイス２を正面から見て、ボールディンプルが接触する透視線画のイメージ図である。（ｂ）は、フェイス２の断面図であり、（ｃ）は、フェイス面でボール７を打球した瞬間、すなわちフェイス２の断面にボール７が接触した状態の図である。（ｄ）は、Ｄ部分の拡大図でありフェイス面でボールを打球した瞬間、すなわちフェイス２の断面にボール７が接触した状態の拡大図である。
【００２０】
パターフェイス２の打球面側を構成している面状弾性体２０の物理的特性については、打球した瞬間に打球ボール７に備わるディンプル端部が打球面２０の網目状部分に接触するとその網目状部分が凹むように撓む特性を満足し、かつ表面硬度と反発弾性特性がボール表面に使用される弾性ゴムの特性以上である必要がある。
【００２１】
パターフェイス２の打球面側を構成している面状弾性体２０は、反発係数が高い特性の樹脂または、金属あるいは非鉄金属の材質で形成することで、ボール７の初速度は大きくなり、振動エネルギーの損失も少なくなる点において、弾性ゴム製のみのパターフェイスと異なるものである。
【００２２】
パターフェイス裏側面に配設されている樹脂２１は、打球した瞬間に、ボールディンプル端部が接触した部分を中心にディンプル端部の形状に沿って凹む軟らかいゴム状の材質から成る面状体である。
【００２３】
図４（ｄ）に示すように、打球面２０の網目状部は最初にボールディンプル端部とＰ１で接触するとその部分が凹むように撓み、隣接するディンプル端部Ｐ２が小開口部に突出している樹脂２１のゴム状の端面と接触し、さらにその他の隣接するディンプル端部Ｐ３は打球面２０の網目状部に接触し複数個所で接触する。
【００２４】
また面状弾性体２０の後面に樹脂２１を配設したことにより、フェイス面が最初にボールのディンプル端部と接触したとき、打球面２０の網目状部分が凹んで撓むと、ディンプル端部が樹脂２１に接触する。樹脂２１は、ゴムの性状により緩やかな時間をもってディンプル端部と接触し続け、接触時間を延引する作用をもつ。
【００２５】
ボール球面の性状でＰ２およびＰ３には、反発方向のずれを補正しボールを打球面平面の法線方向に補正する反力Ｆ２およびＦ３が働くことになる。これによってボールの運動ベクトルはフェイス面の法線方向に向かうように補正される。
【００２６】
この実施の形態は、図３（ａ）に示したように、打球面の裏面に、樹脂２１が装着されている。樹脂２１は、打球面の面状弾性体２０の撓みを妨げない軟らかい振動減衰率の高いゴム状樹脂より成る。
面状弾性体２０の後方が空間であると、より硬い面状弾性体２０が高周波振動して不快な衝撃音を発生し、ゴルファーに違和感を与える。樹脂２１は、その振動減衰特性によって、不快な衝撃音を吸収する。打球時の打感と打球音のレベルは、振動減衰性に優れた材質の面状体を密接させることで、固体の固有振動によって発生した音波の中の不快な金属音成分を減衰もしくは除去し、さらに微妙に調整することができる。
本考案によれば、以上の実施の形態によって、ボールを打球面に垂直に打ち出す方向性を向上し、さらに打球音や打球感を向上することができる。
【００２７】
なお、本実施形態のパターフェイス２を構成する面状体２０は、円形、楕円形、方形、長方形、もしくはその他の形状の小開口を備え、この物理的特性を満たす材料として各種金属、チタン、ステンレス、非鉄金属ポリカーボネート樹脂、スチレン系樹脂、ポリフェニエチレン系樹脂、ポリアセタール樹脂等がある。裏側面の軟らかい樹脂２１としてはポリエステル系エラストマーなどがある。
【００２８】
なお、本考案は、上述した各実施形態に限定されるものではなく、請求項に示した範囲で種々の変更が可能であり、異なる実施形態にそれぞれ開示された技術的手段を適宜組合せて得られる実施形態についても本発明の技術的範囲に含まれる。
【産業上の利用可能性】
【００２９】
本考案は、ゴルフパターのヘッドに挿入されたパターフェイス及び該パターフェイスが挿入されたゴルフパターに適用することができる。
【符号の説明】
【００３０】
１  パターヘッド（ヘッド）
２  パターフェイス（硬さ及び剛性の違う２種類の材質により構成される面状弾性体）
７  ゴルフボール
２０  ショアＡ硬度８５以上の樹脂および弾性変形する金属や非鉄金属の面状弾性体
２１  エラストマー等のショアＡ硬度８５以下の軟らかい樹脂で出来た面状弾性体
Ｐ１  ボールとフェイスとの接触点
Ｆ１  ボール接触点に働く反発力
【図１】
0003179604.tif 000003
【図２】
0003179604.tif 000004
【図３】
0003179604.tif 000005
【図４】
0003179604.tif 000006